(57)【要約】【課題】１，１，１，３，３−ペンタフルオロブタンを使用して、不燃性化することを確保すると共に、アクリル樹脂に対する影響を小さくし、かつオゾン層を破壊する特定フロンではないドライクリーニング用溶剤組成物を提供する。【解決手段】１，１，１，３，３−ペンタフルオロブタン４０〜６０重量％と、ハイドロフルオロエーテル６０〜４０重量％とを混合しドライクリーニング溶剤組成物とする。  ハイドロフルオロエーテルは、１，１，２，２−テトラフルオロエチル−２，２，２−トリフルオロエチルエーテルであるとよい。【選択図】なし【特許請求の範囲】
【請求項１】
１，１，１，３，３−ペンタフルオロブタン４０〜６０重量％と、ハイドロフルオロエーテル６０〜４０重量％とを混合したドライクリーニング溶剤組成物。
【請求項２】
前記ハイドロフルオロエーテルが、１，１，２，２−テトラフルオロエチル−２，２，２−トリフルオロエチルエーテルであることを特徴とする請求項１に記載のドライクリーニング溶剤組成物。
【請求項３】
前記混合の際に、１，１，１，３，３−ペンタフルオロブタンに可溶なソープを配合することを特徴とする請求項１に記載のドライクリーニング溶剤組成物。
【発明の詳細な説明】
【技術分野】
【０００１】
本発明は、１，１，１，３，３−ペンタフルオロブタンを含むドライクリーニング用溶剤組成物の改良に関する。
【背景技術】
【０００２】
地球規模のオゾン層破壊がなく、地球温暖化の影響が小さく、かつ近隣の土壌汚染や地下水汚染を引き起こさず、人体へも無害で、より安価なドライクリーニング用溶剤が求められている。１，１，１，３，３−ペンタフルオロブタンはこの目的に沿った溶剤である。
しかし、１，１，１，３，３−ペンタフルオロブタンは、−２５℃の引火点を持ち、燃焼範囲があるため、条件があえば燃焼する危険がある。
この燃焼性の問題を解決するために、１，１，１，３，３−ペンタフルオロブタンとジクロロペンタフルオロプロパンとを混合したドライクリーニング用溶剤組成物が提案されている（特許文献１参照）。
【０００３】
このドライクリーニング用溶剤組成物は、不燃化には寄与するが、アクリル樹脂に対する影響が、１，１，１，３，３−ペンタフルオロブタン、ジクロロペンタフルオロプロパンをそれぞれ単独で使用した場合より大きく、アクリル樹脂製ボタンや接着樹脂に影響を与え好ましくない。
また、ジクロロペンタフルオロプロパンはオゾン層を破壊する特定フロンであり、２０１９年に全廃が予定されている物質である。
【特許文献１】特開２００２−１９１６８７号公報
【発明の開示】
【発明が解決しようとする課題】
【０００４】
本発明は、１，１，１，３，３−ペンタフルオロブタンを使用して、不燃性化することを確保すると共に、アクリル樹脂に対する影響を小さくし、かつオゾン層を破壊する特定フロンではないドライクリーニング用溶剤組成物を提供することを課題とする。
【課題を解決するための手段】
【０００５】
上記課題を解決するために本発明は、１，１，１，３，３−ペンタフルオロブタン４０〜６０重量％と、ハイドロフルオロエーテル６０〜４０重量％とを混合しドライクリーニング溶剤組成物とする。
前記ハイドロフルオロエーテルは、１，１，２，２−テトラフルオロエチル−２，２，２−トリフルオロエチルエーテルであるとよい。
【発明の効果】
【０００６】
請求項１の発明は、アクリル樹脂に対する影響がほとんどなく、アクリル樹脂製ボタンや被服を接着した樹脂に影響を与えず、各種素材の被服に使用できる。また、オゾン層を破壊しない。ソープを配合しやすく、洗浄能力を向上できる。
請求項２の発明では、ハイドロフルオロエーテルが１，１，２，２−テトラフルオロエチル−２，２，２−トリフルオロエチルエーテルであるので、機械中での分解がなく、乾燥速度が速い。
請求項３の発明は、ソープを配合し、洗浄能力を向上できる。
【発明を実施するための最良の形態】
【０００７】
以下本発明の実施の形態について説明する。
【０００８】
本発明のドライクリーニング溶剤組成物は、１，１，１，３，３−ペンタフルオロブタンとハイドロフルオロエーテルを混合したものである。１，１，１，３，３−ペンタフルオロブタンが４０〜６０重量％、その残余がハイドロフルオロエーテルであるが、カチオン系や非イオン系界面活性剤からなるソープを配合してもよい。
１，１，１，３，３−ペンタフルオロブタンが６０重量％より多いと、すなわちハイドロフルオロエーテルが４０重量％より少ないと、ドライクリーニング溶剤組成物は、燃焼性があり、また、アクリル樹脂が若干溶解する。
一方、１，１，１，３，３−ペンタフルオロブタンが４０重量％より少ないと、すなわちハイドロフルオロエーテルが６０重量％より多いと、洗浄性の良いソープを溶解できず、洗浄性能が悪い。
【０００９】
ハイドロフルオロエーテルは、他のものであってもよいが、１，１，２，２−テトラフルオロエチル−２，２，２−トリフルオロエチルエーテルを使用するとよい。
両溶剤とも安定供給可能であること、ドライクリーニング機械中での分解がなく、乾燥速度が速いという利点がある。
【００１０】
このドライクリーニング用溶剤組成物は、アクリル樹脂に対する影響がほとんどなく、アクリル樹脂製ボタンや被服を接着した樹脂に影響を与えず、各種素材の被服に使用できる。また、オゾン層を破壊しない。ソープを配合しやすく、洗浄能力を向上できる。
【実施例１】
【００１１】
下記の表１は、
溶剤１．本発明のドライクリーニング溶剤組成物
溶剤２〜４．溶剤１の比較例として、同じ１，１，１，３，３−ペンタフルオロブタンとハイドロフルオロエーテルを使用して混合割合を変えた溶剤であり、１，１，１，３，３−ペンタフルオロブタン／ハイドロフルオロエーテルの混合比率（重量％）が、２は９０／１０、３は８０／２０、４は７０／３０である。
溶剤５．１，１，１，３，３−ペンタフルオロブタンを単独で使用した溶剤
溶剤６．１，１，２，２−テトラフルオロエチル−２，２，２−トリフルオロエチルエーテルを単独で使用した溶剤
溶剤７．ジクロロペンタフルオロプロパンを単独で使用した溶剤
溶剤８．大和化学工業株式会社の特許（特許３７８５４８５号）と同じ溶剤（１，１，１，３，３−ペンタフルオロブタン／ジクロロペンタフルオロプロパン）を同じ混合比率（７０／３０）で混合した溶剤
のそれぞれの特性をまとめたものである。
なお、溶剤１は、１，１，１，３，３−ペンタフルオロブタン／１，１，２，２−テトラフルオロエチル−２，２，２−トリフルオロエチルエーテルを、６０／４０、５０／５０、４０／６０の混合比率（重量％）で混合したものであるが、いずれのものもほぼ同じ特性であった。
【表１】
2008223153.tif 000002
アクリル樹脂への影響は、溶剤１，７が優れている。しかし、溶剤７は溶解力が低く、溶解するソープが限られ、溶剤１と比べ洗浄性能が悪い。
【手続補正書】
【提出日】平成19年3月9日(2007.3.9)
【手続補正１】
【補正対象書類名】明細書
【補正対象項目名】００１１
【補正方法】変更
【補正の内容】
【００１１】
下記の表１は、
溶剤１．本発明のドライクリーニング溶剤組成物
溶剤２〜４．溶剤１の比較例として、同じ１，１，１，３，３−ペンタフルオロブタンとハイドロフルオロエーテルを使用して混合割合を変えた溶剤であり、１，１，１，３，３−ペンタフルオロブタン／ハイドロフルオロエーテルの混合比率（重量％）が、２は９０／１０、３は８０／２０、４は７０／３０である。
溶剤５．１，１，１，３，３−ペンタフルオロブタンを単独で使用した溶剤
溶剤６．１，１，２，２−テトラフルオロエチル−２，２，２−トリフルオロエチルエーテルを単独で使用した溶剤
溶剤７．ジクロロペンタフルオロプロパンを単独で使用した溶剤
溶剤８．大和化学工業株式会社の特許（特許３７８５４８５号）と同じ溶剤（１，１，１，３，３−ペンタフルオロブタン／ジクロロペンタフルオロプロパン）を同じ混合比率（７０／３０）で混合した溶剤
のそれぞれの特性をまとめたものである。
なお、溶剤１は、１，１，１，３，３−ペンタフルオロブタン／１，１，２，２−テトラフルオロエチル−２，２，２−トリフルオロエチルエーテルを、６０／４０、５０／５０、４０／６０の混合比率（重量％）で混合したものであるが、いずれのものもほぼ同じ特性であった。
【表１】
2008223153.tif 000003
アクリル樹脂への影響は、溶剤１，６が優れている。しかし、溶剤６は溶解力が低く、溶解するソープが限られ、溶剤１と比べ洗浄性能が悪い。